(57)【要約】      （修正有）【課題】安価で軽量かつ安全性の高い冷蔵庫の提供。【解決手段】内部に発泡断熱材を充填した冷蔵庫本体１の外箱背面板を樹脂製板で構成し、かつ、この樹脂製背面板１１の少なくとも冷蔵庫本体天板直下となる部分を金属製背面板１２とした構成としてある。これにより、背面板を樹脂製板としたことによるコストダウンと軽量化が可能になるとともに、冷蔵庫本体天板上に載置した物品により背面板が損傷等して安全上の問題を招来することをも未然に防止することができ、コストダウン及び軽量化と安全性の向上とを両立することができる。【選択図】図２
2016020751.tif 000002
【特許請求の範囲】
【請求項１】
内部に発泡断熱材を充填した冷蔵庫本体の外箱背面板を樹脂製板で構成し、かつ、この樹脂製背面板の少なくとも冷蔵庫本体天板直下となる部分は金属製背面板とした冷蔵庫。
【請求項２】
樹脂製背面板はプラスチックダンボールとした請求項１記載の冷蔵庫。
【請求項３】
冷蔵庫本体はその下部に圧縮機を備え、かつ、前記圧縮機と近接する冷蔵庫本体の外箱背面板下部も金属製背面板とした請求項１または２記載の冷蔵庫。
【請求項４】
外箱背面の樹脂製背面板と金属製背面板とは発泡断熱材が充填される内面側に樹脂製背面板が位置するように重合してテープで接続固定した請求項１〜３のいずれか１項記載の冷蔵庫。
【請求項５】
樹脂製背面板と金属製背面板とは前記樹脂製背面板が金属製背面板よりも外側に膨出した請求項１〜４のいずれか１項記載の冷蔵庫。
【請求項６】
冷蔵庫本体の外箱側板はその背面側に折り返しフランジを有し、この折り返しフランジの折り返し部に樹脂製背面板の端縁を圧入して両者を結合した請求項１〜５のいずれか１項記載の冷蔵庫。
【請求項７】
樹脂製背面板はその内面両側部に縦方向の切り込みを入れ、当該切込み部分で折り曲げて中央部分が外方へ膨出する水平断面略台形状とした請求項１〜６のいずれか１項記載の冷蔵庫。
【請求項８】
内部に発泡断熱材を充填した冷蔵庫本体の外箱背面板を樹脂製板で構成し、かつ、この樹脂製背面板の少なくとも冷蔵庫本体天板直下となる部分の内面あるいは外面の少なくともいずれか一方に金属製薄板もしくは金属箔を配置した冷蔵庫。
【発明の詳細な説明】
【技術分野】
【０００１】
本発明は、冷蔵庫、特にその筐体構造に関するものである。
【背景技術】
【０００２】
一般に冷蔵庫の筐体は、金属製の外箱と樹脂製の内箱との間に発泡断熱材を充填して構成してあり、内部に冷蔵室や冷凍室等の貯蔵室を有している。そして、上記筐体を構成する外箱は一枚の金属板をコ字状に折り曲げて、側板、天板を一体形成するとともに、その後面に金属製の背面板を装着して構成してある（例えば、特許文献１参照）。
【０００３】
図１１は特許文献１に記載された冷蔵庫の筐体構成を示し、一枚の金属板をコ字状に折り曲げて一体形成した側板１０１と天板１０２の後面に金属製の背面板１０３を装着して外箱１０４が形成してある。
【先行技術文献】
【特許文献】
【０００４】
【特許文献１】特開２０１３−１９６０７号公報
【発明の概要】
【発明が解決しようとする課題】
【０００５】
しかしながら、上記特許文献１に記載されている冷蔵庫の筐体は、その外箱１０４全体を金属製板で形成しているためコスト高で重いものとなるという課題があった。特に大型の冷蔵庫になればなるほど外箱面積が大きいためその影響が大きく、コストダウンと軽量化は大きな課題となっていた。
【０００６】
本発明はこのような従来の課題を解決したもので、安価で軽量かつ安全性の高い冷蔵庫の筐体構造を提供するものである。
【課題を解決するための手段】
【０００７】
本発明は上記目的を達成するために、内部に発泡断熱材を充填した冷蔵庫本体の外箱背面板を樹脂製板で構成し、かつ、この樹脂製背面板の少なくとも冷蔵庫本体天板直下となる部分は金属製背面板とした構成としてある。
【０００８】
これにより、背面板を樹脂製板としたことによるコストダウンと軽量化が可能になるとともに、背面板を樹脂製板としたが故に懸念される安全上の問題、すなわち、冷蔵庫本体天板上に載置した物品により樹脂製背面板が損傷等して安全上の問題を招来することをも未然に防止することができ、コストダウン及び軽量化に加え安全性も確保することができる。
【発明の効果】
【０００９】
本発明は、上記構成としたことにより、大型化する筐体であっても安価で軽量かつ安全性の高い冷蔵庫とすることができる。
【図面の簡単な説明】
【００１０】
【図１】本発明の実施の形態１における冷蔵庫を正面側から見た斜視図
【図２】同実施の形態１における冷蔵庫を背面側から見た斜視図
【図３】同実施の形態１における冷蔵庫の背面図
【図４】同実施の形態１における冷蔵庫の背面上部を示す拡大斜視図
【図５】同実施の形態１における冷蔵庫の背面下部を示す拡大背面図
【図６】同実施の形態１における冷蔵庫の筐体背面部分の横断面図
【図７】同実施の形態１における冷蔵庫の筐体背面部分の要部拡大断面図
【図８】（ａ）同実施の形態１における冷蔵庫の背面板の斜視図、（ｂ）同背面板の分解斜視図
【図９】同実施の形態１における冷蔵庫の筐体背面部分の縦断面図
【図１０】本発明の実施の形態２の冷蔵庫における要部の拡大断面図
【図１１】（ａ）従来の冷蔵庫の筐体外箱を構成する側板と天板の背面図、（ｂ）同背面板を装着したときの背面図
【発明を実施するための形態】
【００１１】
第１の発明は、内部に発泡断熱材を充填した冷蔵庫本体の外箱背面板を樹脂製板で構成し、かつ、この樹脂製背面板の少なくとも冷蔵庫本体天板直下となる部分は金属製背面板とした構成としてある。
【００１２】
これにより、背面板を樹脂製板としたことによるコストダウンと軽量化が可能になるとともに、背面板を樹脂製板としたが故に懸念される安全上の問題、すなわち、冷蔵庫本体天板上に載置した物品により樹脂製背面板が損傷等して安全上の問題を招来することをも未然に防止することができ、コストダウン及び軽量化に加え安全性も確保することができる。例えば使用される国によっては冷蔵庫本体天板上にローソク等を立てて使用されることがあるが、その際当該ローソクのロウが天板から背面板上部に流れ落ちる或いはローソク自体が背面板側に転倒するようなことがあったとしても、このローソクのロウやローソク火の高熱が接する可能性のある冷蔵庫本体天板直下の背面板部分は金属製板であるから、この部分が高熱によって延焼したり、孔開き損傷して背面板内部の発泡断熱材が類焼したりするようなことを未然に防止することができる。
【００１３】
第２の発明は、第１の発明において、前記樹脂製背面板はプラスチックダンボールとした構成としてある。
【００１４】
これにより、プラスチックダンボールが持つ中空構造による材料軽減効果によりさらなるコストダウンと一段の軽量化が可能となる。
【００１５】
第３の発明は、第１または第２の発明において、前記冷蔵庫本体はその下部に圧縮機を備え、かつ、前記圧縮機と近接する冷蔵庫本体の外箱背面板下部も金属製背面板とした構成としてある。
【００１６】
これにより、圧縮機から何らかの原因で出火があったとしても樹脂製背面板への類焼を防止することができ、より一層安全性を向上することができるとともに、金属製樹脂板の補強効果によって外箱両側面間の強度を向上させることもできる。
【００１７】
第４の発明は、第１〜第３の発明において、前記外箱背面の樹脂製背面板と金属製背面板とは発泡断熱材が充填される内面側に樹脂製背面板が位置するように重合してテープで接続固定した構成としてある。
【００１８】
これにより、樹脂製背面板が発泡断熱材の発泡圧によって金属製背面板に押し付けられるようになって両者の密着性が高まり、発泡断熱材の漏出を防止することができる。
【００１９】
第５の発明は、第１〜第４の発明において、前記樹脂製背面板と金属製背面板とは前記樹脂製背面板が金属製背面板よりも外側に膨出した構成としてある。
【００２０】
これにより、樹脂製背面板と金属製背面板との接合部において、それぞれ上方に位置する背面板表面から流下する結露水等の水滴が前記両者の接合部分へ侵入するのを防止することができる。
【００２１】
第６の発明は、第１〜第５の発明において、前記冷蔵庫本体の外箱側板はその背面側に折り返しフランジを有し、この折り返しフランジの折り返し部に樹脂製背面板の端縁を圧入し両者を結合した構成としてある。
【００２２】
これにより、外箱側板と樹脂製背面板との結合が簡単に行えるとともに、当該結合部からの発泡断熱材の漏出も確実に防止することができる。特に樹脂製背面板をプラスチックダンボールとした場合は、当該プラスチックダンボール特有の中空部による弾力性が加わって強固な圧入固定が可能となり、発泡断熱材の漏出をより確実に防止することができる。
【００２３】
第７の発明は、第１〜第６の発明において、前記樹脂製背面板はその内面両側部に縦方向の切り込みを入れ、当該切込み部分で折り曲げて中央部分が外方へ膨出する水平断面略台形状とした構成としてある。
【００２４】
これにより、樹脂製背面板内面側の発泡断熱材の厚みを厚くすることができ、断熱性の向上が図れるとともに、切込み部分で折り曲げるので加工性もよく生産性を高めることができる。
【００２５】
第８の発明は、内部に発泡断熱材を充填した冷蔵庫本体の外箱背面板を樹脂製板で構成し、かつ、この樹脂製背面板の少なくとも冷蔵庫本体天板直下となる部分の内面あるいは外面の少なくともいずれか一方に金属製薄板もしくは金属箔を配置した構成としてある。
【００２６】
これにより、前記第１の発明と同様、背面板を樹脂製板としたことによるコストダウンと軽量化が達成できるとともに、背面板を樹脂製板としたが故に懸念される安全上の問題、すなわち、冷蔵庫本体天板上に載置した物品により樹脂製背面板が損傷等して安全上の問題を招来することをも未然に防止することができ、コストダウン及び軽量化と安全性の向上とを両立することができる。例えば使用される国によっては冷蔵庫本体天板上にローソク等を立てて使用されることがあるが、その際当該ローソクのロウが天板から背面板上部に流下或いはローソク自体が背面板側に転倒するようなことがあったとしても、このローソクのロウや転倒したローソク火の高熱が接する可能性のある冷蔵庫本体天板直下の背面板部分はその内面もしくは外面が金属製薄板或いは金属箔で覆っているから、この部分が高熱によって延焼したり、孔開き損傷して背面板内部の発泡断熱材が類焼したりするようなことを未然に防止することができる。
【００２７】
以下、本発明の実施の形態について、図面を参照しながら説明する。尚、この実施の形態によって本発明が限定されるものではない。
【００２８】
（実施の形態１）
図１は本発明の実施の形態１における冷蔵庫を正面側から見た斜視図、図２は同実施の形態１における冷蔵庫を背面側から見た斜視図、図３は同実施の形態１における冷蔵庫の背面図、図４は同実施の形態１における冷蔵庫の背面上部を示す拡大斜視図、図５は同実施の形態１における冷蔵庫の背面下部を示す拡大背面図、図６は同実施の形態１における冷蔵庫の筐体背面部分の横断面図、図７は同実施の形態１における冷蔵庫の筐体背面部分の要部拡大断面図、図８（ａ）は同実施の形態１における冷蔵庫の背面板の斜視図、（ｂ）は同背面板の分解斜視図、図９は同実施の形態１における冷蔵庫の筐体背面部分の縦断面図である。
【００２９】
図１〜図９において、この冷蔵庫は、内部に冷蔵室や冷凍室等の貯蔵室を有する冷蔵庫本体１と、この冷蔵庫本体１の各貯蔵室前面開口を開閉する扉２とを有している。そして、前記冷蔵庫本体１の下部には機械室３が設けてあり、この機械室に冷凍サイクルを構成する圧縮機（図示せず）等の部品や結露水受け皿４等が組み込んである。
【００３０】
上記冷蔵庫本体１は、図４に示すように、一枚の金属製板、例えば鋼板を略コ字状に折り曲げて形成した側板５および天板６の背面に背面板７を装着して外箱８を形成し、この外箱８とＡＢＳなどの硬質樹脂で成型された樹脂製の内箱９（図６参照）との間に硬質ウレタン等の発泡断熱材１０を充填して構成してある。
【００３１】
上記外箱８の背面を構成する背面板７は、樹脂製背面板１１と亜鉛メッキ鋼板等の金属製板からなる横長状の金属製背面板１２，１３とを組み合わせて構成してある。すなわち、上記金属製背面板１２，１３は図８に示すように樹脂製背面板１１の上下にテープ１４を介して接続し一体化してある。その結果、上記背面板７は、冷蔵庫本体１の天板６直下となる部分と、同冷蔵庫本体１の機械室３内の圧縮機と近接する下部には、金属製背面板１２，１３が位置する構成となっている。また、上記樹脂製背面板１１は、この実施の形態では例えば図６の写真にて示すように中空構造を持つプラスチックダンボールで形成してある。さらに、前記樹脂製背面板１１は、図９に示すように、発泡断熱材１０が充填される背面板内面側に位置する如く金属製背面板１２，１３に重合してテープ１４で接続固定してある。
【００３２】
また、前記樹脂製背面板１１を装着する外箱８の側板５には図７に示すようにその背面側に折り返しフランジ１５が設けてあり、この折り返しフランジ１５の折り返し部１６に前記樹脂製背面板１１の端縁を圧入して両者を結合固定してある。
【００３３】
さらに、前記樹脂製背面板１１はその内面両側部に縦方向の切り込みを入れ、当該切込み部分で折り曲げて図６等に示すように中央部分が外方へ膨出する水平断面略台形状とした構成としてある。そして、この樹脂製背面板１１の上部に位置する金属製背面板１２には図４に示すように前記水平断面略台形状と合致するようにプレス成形した上片１２ａと側片１２ｂの突合せ端面を覆う如くカバー１７を装着して上片１２ａと側片１２ｂの両者を結合している。
【００３４】
以上のように構成した冷蔵庫において、次にその作用効果について説明する。
【００３５】
まず、この冷蔵庫は、その冷蔵庫本体１の外箱背面を樹脂製背面板１１で構成し、その樹脂製背面板１１の冷蔵庫本体天板直下となる部分を金属製背面板１２とした構成としてあるから、樹脂製背面板１１を採用した分だけコストダウンと軽量化が可能となる。
【００３６】
特にこの実施の形態では、上記樹脂製背面板１１はプラスチックダンボールで構成してあるから、プラスチックダンボールが持つ中空構造による材料軽減効果でさらなるコストダウンと一段の軽量化が可能となり、効果的である。
【００３７】
一方、この背面板７全体を樹脂製背面板１１とした場合に懸念される安全上の問題、すなわち、冷蔵庫本体１の天板６上に載置した物品により樹脂製背面板１１が損傷等して安全上の問題を招来することを未然に防止でき、安全性も高いものとすることができる。
【００３８】
例えば使用される国によっては冷蔵庫本体１の天板６上にローソク等を立てて使用されることがあるが、その際当該ローソクのロウが天板６から背面板上部に流れ落ちる或いはローソク自体が背面板側に転倒するようなことがあったとしても、このローソクのロウや
ローソク火の高熱が接する可能性のある冷蔵庫本体１の天板６直下の背面板部分は金属製背面板１２としてあるから、この部分が高熱によって延焼したり、孔開き損傷して背面板内部の発泡断熱材１０が類焼したりするようなことを未然に防止することができる。特に発泡断熱材１０となる硬質ウレタンは燃焼しやすいので効果的である。
【００３９】
また、前記冷蔵庫本体１の機械室３内に設けた圧縮機と近接する背面板下部も金属製背面板１３としてあるから、圧縮機が何らかの原因で出火したとしても樹脂製背面板１１への類焼を防止することができ、より一層安全性を向上することができる。しかも上記金属製背面板１３は樹脂製板に比べ剛性があるから、この金属製背面板１３を装着した側板５間の連結を強固なものとすることができ、外箱両側面５間の強度を向上させることもできる。加えて前記金属製背面板１３を利用して結露水受け皿４を取り付け固定することができる効果もある。
【００４０】
さらに、前記外箱８の樹脂製背面板１１と金属製背面板１２，１３とは発泡断熱材１０が充填される内面側に樹脂製背面板１１が位置するように重合してテープ１４で接続固定してあるから、樹脂製背面板１１が発泡断熱材１０の発泡圧によって金属製背面板１２，１３に押し付けられるようになって両者の密着性が高まり、発泡断熱材１０の漏出を防止することができる。
【００４１】
加えて、上記樹脂製背面板１１と金属製背面板１２，１３とは前記樹脂製背面板１１が金属製背面板１２，１３よりも外側に膨出した構成としてあるから、樹脂製背面板１１と金属製背面板１２，１３との接合部において、それぞれ上方に位置する背面板表面の結露水等の水が付着しこの水滴が流下してきたとしても、この水滴が前記両者の接合部分へ侵入するのを防止することができる。すなわち、図９に示すように天板直下の金属製背面板１２と樹脂製背面板１１との接合部では、金属製背面板１２表面の水滴は金属製背面板１２の端縁から樹脂製背面板１１の膨出部分に乗り上げてそのまま流下することになる。また、下方の金属製背面板１３と樹脂製背面板１１との接合部では、樹脂製背面板１１の膨出部から金属製背面板１３に乗り上げることなくそのまま下方へと滴下することになる。これらのことによって金属製背面板１２，１３と樹脂製背面板１１との接合部分へ水滴が侵入するのを防止することができる。
【００４２】
また、前記樹脂製背面板１１はその端縁を冷蔵庫本体１の側板５に形成した折り返しフランジ１５の折り返し部１６に圧入して結合しているので、側板５と樹脂製背面板１１との結合が簡単に行えるとともに、当該結合部からの発泡断熱材１０の漏出も確実に防止することができる。特にこの実施の形態では樹脂製背面板１１をプラスチックダンボールとしているから、当該プラスチックダンボールがもつ中空部による弾力性が加わって強固な圧入固定が可能となり、発泡断熱材１０の漏出をより確実に防止することができ、効果的である。
【００４３】
また、前記樹脂製背面板１１はその中央部分が外方へ膨出する水平断面略台形状としてあるから、樹脂製背面板１１内面側の発泡断熱材１０の厚みを厚くすることができ、冷蔵庫本体１の断熱性を向上させることができる。しかも、上記膨出部は樹脂製背面板１１に設けた切込み部分で折り曲げて形成するようにしているので、加工性もよく生産性を高めることができる。
【００４４】
（実施の形態２）
図１０は実施の形態２の冷蔵庫における要部の拡大断面図である。この実施の形態２は天板６直下まで樹脂製背面板１１とし、当該樹脂製背面板１１の外面もしくは内面のいずれか一方の面、この実施の形態では外面に、金属製薄板もしくは金属箔１８を配置した構成としてある。
【００４５】
これにより、この実施の形態では、前記第１の実施の形態１と同様、背面板７を樹脂製背面板１１としたことによるコストダウンと軽量化が達成できるとともに、冷蔵庫本体天板上に載置した物品により樹脂製背面板１１が損傷等して安全上の問題を招来することをも未然に防止することができる。例えば使用される国によっては冷蔵庫本体天板上にローソク等を立てて使用されることがあるが、その際当該ローソクのロウが天板６から背面板上部に流下或いはローソク自体が背面板側に転倒するようなことがあったとしても、このローソクのロウやローソク火の高熱が接する可能性のある冷蔵庫本体天板直下の背面板部分はその内面もしくは外面が金属製薄板或いは金属箔１８で覆っているから、この部分が高熱によって延焼したり、孔開き損傷して背面板内部の発泡断熱材１０が類焼したりするようなことを未然に防止することができる。
【００４６】
以上、本発明の実施の形態について説明してきたが、上記実施の形態で説明した構成は本発明を実施する一例として示したものであり、本発明の目的を達成する範囲で種々変更可能なことは言うまでもない。
【産業上の利用可能性】
【００４７】
本発明は大型化する冷蔵庫であっても安価で軽量かつ安全性の高い冷蔵庫とすることができ、家庭用はもちろん業務用冷蔵庫にも幅広く適用することができる。
【符号の説明】
【００４８】
１  冷蔵庫本体
２  扉
３  機械室
４  結露水受け皿
５  側板
６  天板
７  背面板
８  外箱
９  内箱
１０  発泡断熱材
１１  樹脂製背面板
１２，１３  金属製背面板
１４  テープ
１５  折り返しフランジ
１６  折り返し部
１７  カバー
１８  金属製薄板或いは金属箔
【図１】
2016020751.tif 000003
【図２】
2016020751.tif 000004
【図３】
2016020751.tif 000005
【図４】
2016020751.tif 000006
【図５】
2016020751.tif 000007
【図６】
2016020751.tif 000008
【図７】
2016020751.tif 000009
【図８】
2016020751.tif 000010
【図９】
2016020751.tif 000011
【図１０】
2016020751.tif 000012
【図１１】
2016020751.tif 000013